(57)【要約】【課題】  ボタンの揺動支点を自由に設定することができるシーソーボタン構造を提供する。【解決手段】  特定方向の両端部が選択的に押圧操作されるボタン２０と、このボタン２０を支持するパネル部材３０とを備えている。上記パネル部材３０には、上記ボタン２０を揺動可能に支持する支持部３２が設けられ、この支持部３２は、当該支持部３２が存在する領域から外れた位置にある仮想軸ＡＸを中心として揺動可能となるように上記ボタン２０を支持するものである。上記仮想軸ＡＸは、上記ボタン２０の両端部の略中央に対応する位置で上記特定方向及び上記押圧操作方向と略直交する方向に延びている。【選択図】      図４
2006079894.tif 000002
【特許請求の範囲】
【請求項１】
特定方向の両端部が選択的に押圧操作されるボタンが支持部材に支持され、上記ボタンの両端部のうち一方を押圧操作することにより、当該ボタンが揺動してその押圧操作された方の端部が当該押圧操作方向に変位するシーソーボタン構造において、
上記支持部材には、上記ボタンを揺動可能に支持する支持部が設けられ、この支持部は、上記ボタンの両端部の略中央に対応する位置で上記特定方向及び上記押圧操作方向と略直交する方向に延びる仮想軸であってその支持部が存在する領域から外れた位置にある仮想軸を中心として揺動可能となるように上記ボタンを支持するものであることを特徴とするシーソーボタン構造。
【請求項２】
上記ボタンには、上記支持部材の支持部に支持される被支持部が設けられ、この被支持部が上記支持部に対して上記仮想軸を中心とする円弧に沿う方向に相対移動できるように当該被支持部と上記支持部とが係合していることを特徴とする請求項１に記載のシーソーボタン構造。
【請求項３】
上記支持部材の支持部と上記ボタンの被支持部の一方は、互いに離間する位置に配された複数のピンを有し、他方は、上記各ピンが嵌合可能で上記仮想軸を中心とする円弧状をなす長孔を有していることを特徴とする請求項２に記載のシーソーボタン構造。
【請求項４】
上記支持部材の支持部と上記ボタンの被支持部の他方は、互いに異なる曲率半径を有してその径方向に並ぶ複数の長孔を有しており、これらの長孔に嵌合する位置に上記各ピンが配されていることを特徴とする請求項３に記載のシーソーボタン構造。
【請求項５】
上記ボタンの両端部に対応する位置には、当該両端部をそれぞれ均等な付勢力で上記押圧操作方向と反対方向に付勢する付勢手段が設けられ、上記ボタンはその両端部をこの付勢手段に付勢されて、当該ボタンが操作を受けていない非操作状態では、ボタンの両端部のどちらも押圧操作可能な中立位置に保持されるように構成されていることを特徴とする請求項１〜４のいずれか１項に記載のシーソーボタン構造。
【請求項６】
上記支持部材には、開口が形成され、この開口の周縁部は略平坦に形成されており、上記ボタンは、この開口内に配設されているとともに、当該ボタンが操作を受けていない非操作状態で上記開口周縁部と略同一平面上に位置する表面を有し、上記仮想軸は、上記ボタンの表面上またはその近傍に位置しており、このボタンの表面よりも奥側の位置に上記支持部が配設されていることを特徴とする請求項１〜５のいずれか１項に記載のシーソーボタン構造。
【発明の詳細な説明】
【技術分野】
【０００１】
本発明は、シーソースイッチ等に利用されるシーソーボタンの構造に関するものである。
【背景技術】
【０００２】
従来、シーソーボタンの構造としては、例えば特許文献１に開示されているものが知られている。このシーソーボタンでは、特定方向の両端部が押圧操作されるボタンが用いられ、その特定方向中央部が、軸心方向が上記特定方向及び押圧操作方向に略直交するピンを介して支持部材に支持されている。そして、上記ボタンの両端部のうち一方を押圧操作することにより、上記ピンを支点としてボタンが揺動して、押圧操作された方の端部が当該押圧操作方向に変位するようになっている。
【特許文献１】特開平５−４１１４１号公報
【発明の開示】
【発明が解決しようとする課題】
【０００３】
しかしながら、このシーソーボタンにおいては、ピンを支点としてボタンが揺動する構造であるために、そのピンを配設できる位置との関係でボタンの揺動支点を自由に設定することができず、それが問題となることがあった。
【０００４】
例えば、略フラットな表面を有するボタンを操作パネルに設けられた開口内に配設し、その操作パネルの表面とボタンの表面とが略同一平面上に位置するようにしたシーソーボタンにおいては、ボタンを支持する部分が操作パネルの表面から手前側に突出するような構造にすることは外観上好ましくないため、上記ピンはボタンの表面から少し奥に入った位置に配設されることになる。
【０００５】
しかし、このピンの位置では、ボタンの両端部のうち一方を押圧操作すると、その押圧操作された方の端部と反対側の端部は上記特定方向において支点に近づくように移動するが、上記押圧操作された方の端部は上記特定方向において支点から遠ざかるように移動する。そのため、上記押圧操作された方の端部が操作パネルの開口周縁部と干渉しないように、ボタン周縁と開口周縁部との間にある程度の隙間を確保する必要があり、この隙間が美観を損なわせることになっていた。
【０００６】
本発明は、上記のような問題を解決できるように、パネル等によるボタンの支持位置にかかわらず、ボタンの揺動支点を自由に設定することができるシーソーボタン構造を提供することを目的とする。
【課題を解決するための手段】
【０００７】
請求項１に係る発明は、特定方向の両端部が選択的に押圧操作されるボタンが支持部材に支持され、上記ボタンの両端部のうち一方を押圧操作することにより、当該ボタンが揺動してその押圧操作された方の端部が当該押圧操作方向に変位するシーソーボタン構造において、上記支持部材には、上記ボタンを揺動可能に支持する支持部が設けられ、この支持部は、上記ボタンの両端部の略中央に対応する位置で上記特定方向及び上記押圧操作方向と略直交する方向に延びる仮想軸であってその支持部が存在する領域から外れた位置にある仮想軸を中心として揺動可能となるように上記ボタンを支持するものであることを特徴とするものである。
【０００８】
請求項２に係る発明は、請求項１に記載のシーソーボタン構造において、上記ボタンには、上記支持部材の支持部に支持される被支持部が設けられ、この被支持部が上記支持部に対して上記仮想軸を中心とする円弧に沿う方向に相対移動できるように当該被支持部と上記支持部とが係合していることを特徴とするものである。
【０００９】
請求項３に係る発明は、請求項２に記載のシーソーボタン構造において、上記支持部材の支持部と上記ボタンの被支持部の一方は、互いに離間する位置に配された複数のピンを有し、他方は、上記各ピンが嵌合可能で上記仮想軸を中心とする円弧状をなす長孔を有していることを特徴とするものである。
【００１０】
請求項４に係る発明は、請求項３に記載のシーソーボタン構造において、上記支持部材の支持部と上記ボタンの被支持部の他方は、互いに異なる曲率半径を有してその径方向に並ぶ複数の長孔を有しており、これらの長孔に嵌合する位置に上記各ピンが配されていることを特徴とするものである。
【００１１】
請求項５に係る発明は、請求項１〜４のいずれか１項に記載のシーソーボタン構造において、上記ボタンの両端部に対応する位置には、当該両端部をそれぞれ均等な付勢力で上記押圧操作方向と反対方向に付勢する付勢手段が設けられ、上記ボタンはその両端部をこの付勢手段に付勢されて、当該ボタンが操作を受けていない非操作状態では、ボタンの両端部のどちらも押圧操作可能な中立位置に保持されるように構成されていることを特徴とするものである。
【００１２】
請求項６に係る発明は、請求項１〜５のいずれか１項に記載のシーソーボタン構造において、上記支持部材には、開口が形成され、この開口の周縁部は略平坦に形成されており、上記ボタンは、この開口内に配設されているとともに、当該ボタンが操作を受けていない非操作状態で上記開口周縁部と略同一平面上に位置する表面を有し、上記仮想軸は、上記ボタンの表面上またはその近傍に位置しており、このボタンの表面よりも奥側の位置に上記支持部が配設されていることを特徴とするものである。
【発明の効果】
【００１３】
請求項１に係る発明によれば、支持部材にボタンを揺動可能に支持する支持部が設けられ、この支持部は、当該支持部から外れた位置にある仮想軸を中心としてボタンを揺動可能に支持しているので、その支持部の位置に制約を受けずに揺動支点を好適な位置に設定することができる。
【００１４】
ここで、請求項２に係る発明のように、ボタンの被支持部が上記支持部材の支持部に対して上記仮想軸を中心とする円弧に沿う方向に相対移動できるように当該被支持部と上記支持部とが係合する構成とすれば、簡単な構成でボタンを上記仮想軸を中心に揺動可能に支持することができる。
【００１５】
具体的には、請求項３に係る発明のように、上記支持部材の支持部とボタンの被支持部の一方は複数のピンを有し、他方は上記各ピンが嵌合可能で上記仮想軸を中心とする円弧状をなす長孔を有する構成とすれば、ピンを中心とする揺動を防ぎながらも仮想軸を中心とする揺動のみを行わせることができる。
【００１６】
その場合、共通の長孔に複数のピンを嵌合させるようにしてもよいが、このようにすると長孔の円弧長を大きくしなければならないのに対し、請求項４に係る発明のように、上記支持部材の支持部と上記ボタンの被支持部の他方は、互いに異なる曲率半径を有してその径方向に並ぶ複数の長孔を有しており、これらの長孔に嵌合する位置に上記各ピンが配されていれば、各長孔の円弧長を短く抑えながら、ピンを中心とする揺動の防止及び仮想軸を中心とする揺動を実現できる。この構成は、その長孔の延びる方向に寸法上の制約がある場合に特に有効である。
【００１７】
請求項５に係る発明によれば、ボタンの両端部が付勢手段に付勢されてボタンが中立位置に保持されるように構成されているので、ボタンを押圧操作する際に付勢手段によって適度な弾力感を得られるとともに、その後にその押圧操作を解除すればボタンが中立位置に復帰するため、自動復帰型のシーソーボタンとすることができる。
【００１８】
請求項６に係る発明によれば、ボタンは、支持部材に形成された開口内に配設され、非操作状態でその開口周縁部と略同一平面上に位置する表面を有し、上記仮想軸は、このボタンの表面上またはその近傍に位置しているので、ボタンが当該ボタンの表面から少し奥に入った位置に配設されたピンを支点として揺動する従来構造と比べ、ボタンを押圧操作したときの両端部の揺動半径を小さくすることができ、上記特定方向における両端部の移動距離を共に小さくすることができる。しかも、このボタンの表面よりも奥側の位置に上記支持部が配設されているので、このように仮想軸をボタンの表面上またはその近傍に設定しても、上記支持部をボタンの表面及び開口周縁部よりも手前側に突出させることがない。従って、良好な外観を保ったまま、ボタン周縁と開口周縁部との間の隙間を小さくすることができ、シーソーボタンの美観を向上させることができる。
【発明を実施するための最良の形態】
【００１９】
以下、本発明を実施するための最良の形態について、図面を参照しながら詳細に説明する。
【００２０】
図１〜４に、本発明のシーソーボタン構造が採用された操作パネル１を示す。この操作パネル１は、どのような姿勢で設置されていてもかまわないが、本実施形態では説明の便宜のため、操作パネル１の表面が水平面と略平行となる姿勢で設置されているものとし、図１における上下方向を前後方向として説明する。
【００２１】
上記操作パネル１は、操作パネル１の本体を構成するパネル部材３０と、このパネル部材３０に設けられる操作部２と、上記パネル部材３０の裏面側に配設されるプリント回路基板５０とを備えている。上記プリント回路基板５０にはスイッチ回路が形成され、このスイッチ回路が上記操作部２の操作によって開閉されるようになっている。
【００２２】
この操作部２は、図例では円形の全体形状をなしており、中央に位置する円形状のボタン３と、このボタン３の前後に位置する円弧状のボタン４と、上記ボタン３の左右に位置する円弧状のボタン２０とで構成されている。
【００２３】
これらのボタン３，４，２０は、上記パネル部材３０の所定位置に設けられた凹部３６内に配設されている。この凹部３６は、上記パネル部材３０のパネル表面３０ａから円形状に窪んで上方に開口している。上記パネル表面３０ａは、略平坦な面となっている。そして、この凹部３６内に上記ボタン３，４，２０が嵌め込まれることにより、これらのボタン３，４，２０の表面が上記パネル表面３０ａと略同一平面上に位置する状態で当該ボタン３，４，２０がパネル部材３０に支持されている。
【００２４】
なお、上記凹部３６の開口周縁部には、当該開口周縁部を縁取るリング状の枠体５が配設されており、操作部２の美観を向上させるようになっている。また、この実施の形態では、上記各ボタン３，４，２０及びパネル部材３０が全てＡＢＳ等の合成樹脂により成形されている。
【００２５】
上記ボタン３，４，２０のうち、円形状のボタン３及びこのボタン３の前後に位置する円弧状のボタン４はそれそれ単純な押しボタンを構成し、上記ボタン３の左右に位置する円弧状のボタン２０がそれぞれ前後方向の両端部が押圧操作可能なシーソーボタンを構成している。そして、このボタン２０に係る部分に本発明のシーソーボタン構造が採用されている。
【００２６】
この実施の形態では、各ボタン２０にそれぞれ対応してプリント回路基板５０上に前後一対の接点部５２が設けられており、上記ボタン２０の前側端部または後側端部が択一的に押圧操作されることにより、その押圧操作力が上記パネル部材３０に上下動可能に支持された支柱４０を介していずれかの接点部５２に伝えられ、これにより当該接点部５２が切替操作されるようになっている。
【００２７】
上記各接点部５２は、上記押圧操作方向に移動可能な可動部５２ａを有し、この可動部５２ａの裏面に可動接点が、上記プリント回路基板５０上に固定接点がそれぞれ設けられている。さらに、この接点部５２は、上記可動部５２ａを上記押圧操作方向と逆の方向に付勢する（すなわち両接点を離間させる状態に保持する）付勢手段を内蔵している。
【００２８】
一方、上記ボタン２０の裏面には、当該裏面の略中央で下方に開口する空間を形成する周壁２５が立設されており、この周壁２５の前後両側部は、それぞれその厚みが厚く形成されて厚肉部２５ａとなっている。そして、これら厚肉部２５ａと上記接点部５２の可動部５２ａとの間にそれぞれ上記支柱４０が介設されており、上記ボタン２０の前側端部または後側端部が押圧操作されると、その押圧操作力が上記厚肉部２５ａ及びこれに当接する支柱４０を介して上記接点部５２の可動部５２ａに伝えられ、これにより当該接点部５２のもつ付勢手段の付勢力に抗して当該接点部５２の接点が閉じるようになっている。
【００２９】
換言すれば、上記ボタン２０の両厚肉部２５ａは上記各接点部５２に内蔵された付勢手段から上記支柱４０を介して互いに均等な反力を受ける状態となっており、その反力により、上記ボタン２０が操作を受けていない非操作状態では、当該ボタン２０がその押圧操作方向と反対方向（図例では上方）に前後均等に付勢されて、図３及び図４に示すようなボタンの前側端部または後側端部のどちらも押圧操作可能な中立位置に保持されるようになっている。そして、この構造により上記ボタン２０は自動復帰型のシーソーボタンとなっている。
【００３０】
なお、上記付勢手段としては、バネ等を採用することも可能であるが、接点部５２の構成を、固定接点を弾性体で覆うようにするとともに弾性体の内側面に可動接点を設けるようにすれば、当該弾性体を付勢手段とすることも可能である。
【００３１】
次に、上記ボタン２０をパネル部材３０側に支持するための具体的な構造について説明する。
【００３２】
上記バネル部材３０には、上記ボタン２０を揺動可能に支持する支持部３２が設けられている。この支持部３２は、仮想軸ＡＸを中心として上記ボタン２０が揺動可能となるように上記ボタン２０を支持するものである。
【００３３】
上記仮想軸ＡＸは、上記ボタン２０の前後方向両端部の略中央に対応する位置で上記押圧操作方向及び前後方向と略直交する左右方向に延びている。
【００３４】
なお、本実施形態では、上記仮想軸ＡＸは、上述したパネル部材３０の表面３０ａと略同一平面上に位置するボタン２０の表面２０ａ上に位置している。また、上記パネル部材３０の支持部３２は、上記ボタン２０の表面２０ａよりも奥側（図例では下側）に配設されており、上記仮想軸ＡＸは、その支持部３２が存在する領域から外れた位置に位置している。
【００３５】
一方、上記ボタン２０には、上記パネル部材３０の支持部３２に係合して支持される被支持部２２が設けられている。
【００３６】
以下、上記パネル部材３０の支持部３２及びボタン２０の被支持部２２の構造を詳細に説明する。
【００３７】
上記パネル部材３０の支持部３２は、上記パネル部材３０の凹部３６の底壁３６ａに形成された上下方向に延びる筒状部３５と、この筒状部３５の下端に連設された左右一対の舌片３３を有している。
【００３８】
上記筒状部３５は、上記ボタン２０の中央部裏側に位置している。なお、この筒状部３５に対して左右に隣接する位置に上記底壁３６ａを貫通する貫通孔３７がそれぞれ設けられている。
【００３９】
上記舌片３３は、上記筒状部３５の左右両側部の下端からそれぞれ下方に突出しており、その内側面が上記筒状部３５の左右方向の内周面と連続する壁面を構成している。
【００４０】
そして、この舌片３３及び上記筒状部３５の左方向の外側面には上下に並ぶピン３４ａが突設され、また右方向の外側面には同じように上下に並ぶピン３４ｂが突設されている。
【００４１】
上記各ピン３４ａ，３４ｂは、上記各外側面においては上記ボタン２０が中立位置にあるときの当該ボタン２０の前後方向両端部の略中央に対応する位置で上下に並んで配されており、各外側面の上方に配されたピン３４ａ，３４ｂ同士及び下方に配されたピン３４ａ，３４ｂ同士はそれぞれ同心軸上に位置している。
【００４２】
一方、上記ボタン２０の被支持部２２は、上記周壁２２の左右両側部から下方に延長された左右一対の延在部２３を有している。この延在部２３は、上記パネル部材３０の底壁３６ａに形成された貫通孔３７を通じて当該底壁３６ａの裏側（図例では下側）に突出することが可能となっている。
【００４３】
また、この延在部２３の両内側面は、上記支持部３２の舌片３３の両外側面を挟持して、上記パネル部材３０に対する上記ボタン２０の左右方向の移動が規制されるようになっている。
【００４４】
そして、この延在部２３における上記ピン３４ａ，３４ｂに対応する位置に、これらのピン３４ａ，３４ｂが個々に嵌合可能な４つの長孔２４ａ，２４ｂが当該延在部２３を板厚方向に貫通するように形成されており、これらの長孔２４ａ，２４ｂ内に上記ピン３４ａ，３４ｂが嵌め込まれている。
【００４５】
上記各長孔２４ａ，２４ｂは、上記仮想軸ＡＸを中心とする円弧状をなしており、左側の延在部２３に形成された長孔２４ａ同士あるいは右側の延在部２３に形成された長孔２４ｂ同士は、互いに異なる曲率半径を有してその径方向（図例では上下方向）に並んで形成されている。
【００４６】
そして、これらの長孔２４ａ，２４ｂの内周面と上記ピン３４ａ，３４ｂとが相対的に摺動することにより、上記被支持部２２が上記支持部３２に対して上記仮想軸ＡＸを中心とする円弧に沿う方向に相対移動できるようになっている。
【００４７】
次に、上記のように構成されたシーソーボタンの作用を説明する。
【００４８】
図３及び図４に示す中立位置からボタン２０の前後方向両端部のうち一方を押圧操作すると、上述したように上記被支持部２２の長孔２４ａ，２４ｂの内周面と上記支持部３２のピン３４ａ，３４ｂとが相対的に摺動して、上記ボタン２０の被支持部２２が上記パネル部材３０の上記支持部３２に対して上記仮想軸ＡＸを中心とする円弧に沿う方向に相対移動する。そのため、上記ボタン２０が上記仮想軸ＡＸを中心として揺動して、押圧操作された方の端部が上記付勢手段の付勢力に抗して変位する（図５及び図６参照）。
【００４９】
ここで、支持部３２のピン３４ａ，３４ｂを複数ではなく単一のピンとしても被支持部２２を上記仮想軸ＡＸを中心とする円弧に沿う方向に支持部３２に対して相対移動させることは可能であるが、この場合にはピンを中心とする揺動も生じてしまう。これに対して本実施形態では、複数のピン３４ａ，３４ｂが個々に複数の長孔２４ａ，２４ｂに嵌合しているので、上記ボタン２０の揺動の際には、各ピン３４ａ，３４ｂを中心とする揺動を抑えながら、仮想軸ＡＸを中心とする揺動のみを行わせることができる。
【００５０】
なお、ボタン２０の前後方向両端部のどちらか一方を押圧操作する際には、必ずしも端部を押圧操作する必要はなく、前後方向両端部の中央からどちらか寄りの部分を押圧操作すればよい。
【００５１】
そして、押圧操作する側に位置する支柱４０が、上記ボタン２０の変位に伴って移動し、接点部５２の可動部５２ａを押圧して、プリント回路基板３０に形成されたスイッチ回路の開閉が行われる。
【００５２】
押圧操作を解除すれば、接点部５２の付勢手段により可動部５２ａが元の位置に復帰し、それに伴って支柱４０が移動してボタン２０の押圧操作された方の端部を押すことによりボタン２０が元の状態に復帰する。
【００５３】
以上説明したように、本実施形態では、パネル部材３０の支持部３２が、当該支持部３２から外れた位置にある仮想軸ＡＸを中心として揺動可能となるようにボタン２０を支持しているので、その支持部３２の位置に制約を受けずに揺動支点を好適な位置に設定することができる。
【００５４】
すなわち、本実施形態のようなボタン２０の表面２０ａがパネル部材３０のパネル表面３０ａと略同一平面上に位置するようにしたシーソーボタンにおいては、従来は支持部であるピンが揺動中心となっていたため、外観上の問題からピンをボタンの表面の奥側に配設する、すなわち揺動中心を奥側に設定せざるを得なかったが、本発明ではピン３４ａ，３４ｂから外れた仮想軸ＡＸを中心にボタン２０を揺動させることができるため、揺動支点となる仮想軸ＡＸをボタン２０の表面２０ａ上に設定することも可能である。
【００５５】
そして、このように仮想軸ＡＸをボタン２０の表面２０ａ上に設定することにより、従来のシーソーボタン構造と比べ、ボタン２０を押圧操作したときの両端部の揺動半径を小さくすることができ、上記前後方向における両端部の移動距離を共に小さくすることができる。従って、ボタン２０とこのボタン２０の周りに配設された上記枠体５との間の隙間を従来よりも小さくすることができ、シーソーボタンの美観を向上させることができる。しかも、上記支持部３２がこのボタン２０の表面２０ａよりも奥側の位置に配設されているので、良好な外観を保ったまま上記隙間を小さくすることができる。
【００５６】
また、本実施形態では、上記ボタン２０の被支持部２２が上記パネル部材３０の支持部３２に対して上記仮想軸ＡＸを中心とする円弧に沿う方向に相対移動できるように当該被支持部２２と上記支持部３２とが係合しているので、簡単な構成でボタン２０を上記仮想軸ＡＸを中心に揺動可能に支持することができる。
【００５７】
なお、上述した実施形態では、上記パネル部材３０の支持部３２が有する複数のピン３４ａ，３４ｂが、上記ボタン２０の被支持部２２が有する複数の長孔２４ａ，２４ｂに個々に嵌合することにより、上記支持部３２と上記被支持部２２とが上記仮想軸ＡＸを中心とする円弧に沿う方向に相対移動可能に係合する形態を示したが、長孔２４ａ，２４ｂの数を減らして左右で１つずつとするとともに長孔２４ａ，２４ｂの円弧長を大きくし、さらにピン３４ａ，３４ｂを左右方向に並ぶように配して共通の長孔２４ａ，２４ｂに複数のピン３４ａ，３４ｂを嵌合させるようにすることも可能である。
【００５８】
ただし、本発明のシーソーボタン構造が、上記実施形態のようにスイッチングを行うボタンとして用いられる場合には、ボタン２０の前後方向両端部の裏面側に接点部５２等を配設する必要があるため、上記実施形態のように、複数の長孔２４が互いに異なる曲率半径を有してその径方向に並んで形成された構成とすれば、各長孔２４の円弧長を短く抑えることができるため、上記ボタン２０の両端部の裏面側のスペースを広く活用して接点部５２等を有効に配設することができる。
【００５９】
なお、上記実施形態では、ボタン２０の厚肉部２５ａと接点部５２との間に支柱４０を配設した形態を示したが、この支柱４０は省略することも可能である。
【００６０】
また、上記実施形態では、支持部３２における舌片３３の各側面の上方に配されたピン３４ａ，３４ｂ同士及び下方に配されたピン３４ａ，３４ｂ同士はそれぞれ同心軸上に位置している形態を示したが、必ずしもそうである必要はなく、左右のピン３４ａ，３４ｂを上下方向に交互に配置して長孔２４ａ，２４ｂをそのピン３４ａ，３４ｂが嵌合するように左右で異なる位置に形成してもよい。
【００６１】
さらに、上記実施形態とは逆に、パネル部材３０の支持部３２が複数の長孔２４ａ，２４ｂを有し、ボタン２０の被支持部２２が複数のピン３４ａ，３４ｂを有するように構成することも可能である。
【００６２】
さらには、上記ピン３４ａ，３４ｂ及び長孔２４ａ，２４ｂの数も適宜変更可能であり、例えばボタン２０の延在部２３を左右一対でなく一つだけにするとともに、その厚みを厚くして、延在部２３に形成する長孔を上下に並ぶ２つだけとして、左右のピン３４ａ，３４ｂのうち一方を省略することも可能である。
【００６３】
また、パネル部材３０の支持部３２にはピン３４ａ，３４ｂではなく、被支持部２２の円弧状の長孔に沿う方向に延びる円弧状の係合片を設けてもよい。この場合には、ピン３４ａ，３４ｂを長孔２４ａ，２４ｂに係合させた上記実施形態のように、複数のピン３４ａ．３４ｂによってピン３４ａ，３４ｂを中心とする揺動を防止する必要がないため、例えば係合片を１つだけとすることも可能である。
【００６４】
さらには、パネル部材３０の支持部３２とボタン２０の被支持部２２の一方に、円弧状に沿う方向に延びるガイド溝またはレールを設け、他方にそれに摺動可能なガイド片を設けることも可能である。
【００６５】
また、上記実施形態では、パネル部材３０のパネル表面３０ａが略平坦な面となっている形態を示したが、少なくともボタン２０がその内部に配設される開口の周縁部が平坦であれば、ボタン２０と開口周縁部との隙間を小さくして美観を向上させることが可能である。そして、ボタン２０と開口周縁部との隙間を小さくするためには、仮想軸ＡＸの位置は、上記実施形態のようにボタン表面２０ａ上に限らず、その近傍に位置していればよい。
【００６６】
なお、パネル部材３０としては、開口が形成されたパネル表面部分と、ボタン２０を支持する支持部３２とを一体に構成することも、または別々に構成することも可能である。
【００６７】
さらには、そのようなボタン２０の取付け場所に関係なく本発明のシーソーボタン構造は採用可能であり、ボタン２０の配設場所に合わせて仮想軸ＡＸの位置を適宜変更することができる。
【００６８】
なお、ボタン２０の形状は、上記実施形態で示したように円弧状である必要はなく、円形状あるいは矩形状とすることも可能であり、選択的に押圧操作される端部も長手方向に限らず短辺方向とすることも可能である。
【図面の簡単な説明】
【００６９】
【図１】本発明のシーソーボタン構造を採用したシーソーボタンが配設された操作パネルの平面図である。
【図２】図１におけるＩＩ−ＩＩ線断面図である。
【図３】図２におけるＩＩＩ−ＩＩＩ線断面図である。
【図４】図２におけるＩＶ−ＩＶ線断面図である。
【図５】ボタンを押圧操作したときの図２におけるＩＩＩ−ＩＩＩ線断面図である。
【図６】ボタンを押圧操作したときの図２におけるＩＶ−ＩＶ線断面図である。
【符号の説明】
【００７０】
１  操作パネル
５  枠体
１０  シーソーボタン
２０  ボタン
２０ａ  表面
２２  被支持部
２３  延在部
２４ａ，２４ｂ  長孔
３０  パネル部材（支持部材）
３０ａ  パネル表面
３２  支持部
３３  舌片
３４ａ，３４ｂ  ピン
３５  筒状部
４０  支柱
５０  プリント回路基板
５２  接点部
ＡＸ  仮想軸
【図１】
2006079894.tif 000003
【図２】
2006079894.tif 000004
【図３】
2006079894.tif 000005
【図４】
2006079894.tif 000006
【図５】
2006079894.tif 000007
【図６】
2006079894.tif 000008